(57)【特許請求の範囲】
【請求項１】
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上において、前記キーワード抽出手段で抽出された前記検索用キーワードをウェブページに含むウェブサイトの検索を実行し、その検索結果である複数のウェブサイトの情報を取得するサイト検索手段と、
前記サイト検索手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置。
【請求項２】
請求項１に記載の情報処理装置において、
前記評判結果取得手段で取得した前記コンテンツの評判結果を、前記コンテンツのそれぞれを特定するための情報と対応させて、複数の前記コンテンツについて蓄積する蓄積手段と、
ネットワークを通じて、前記コンテンツを特定する情報を伴う前記評判結果の取得要求を受信したときに、前記取得要求に含まれる前記コンテンツを特定する情報により特定される前記コンテンツについての評判結果を、前記蓄積手段により蓄積された複数のコンテンツの評判結果の中から読み出して、前記取得要求してきた相手方に前記ネットワークを通じて送信する評判結果送信手段と、
を備えることを特徴とする情報処理装置。
【請求項３】
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上の検索サイトに、前記キーワード抽出手段で抽出された前記検索用キーワードをウェブページに含むウェブサイトの検索を要求し、その検索結果である複数のウェブサイトの情報を取得するサイト検索要求手段と、
前記サイト検索要求手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置。
【請求項４】
請求項１または請求項３に記載の情報処理装置において、
検索用キーワードの入力を受け付けるキーワード受付手段と、
前記サイト検索手段は、前記キーワード抽出手段で抽出された検索用キーワードに加えて、前記キーワード受付手段で受け付けた検索用キーワードを含むウェブサイトの検索を、前記インターネット上の検索サイトに要求し、その検索結果としての複数のウェブサイトの情報を取得する
ことを特徴とする情報処理装置。
【請求項５】
請求項１または請求項３に記載の情報処理装置において、
前記第１のサイト選定手段は、前記検索サイトから取得した前記検索結果である複数のウェブサイトの情報に対して、絞込み条件に基づいて絞込みを行って、前記検索結果である複数のウェブサイトよりも少ないウェブサイトに絞り込む手段を備える
ことを特徴とする情報処理装置。
【請求項６】
請求項１または請求項３に記載の情報処理装置において、
評判表現語と、その評価値との対応関係からなる評判ルール辞書を備え、
前記評判結果取得手段は、前記収集した文章から評判表現語を検出し、検出した評判表現語により前記評判ルール辞書を参照することより対応する評価値を取得し、前記コンテンツの評価結果として、前記取得した複数個の前記評判表現語の評価値の合計値を算出する
ことを特徴とする情報処理装置。
【請求項７】
情報処理装置によるコンテンツの評判検索方法であって、
前記コンテンツのタイトルやコンテンツ内容の説明情報からなるコンテンツ関連情報を取得する取得工程と、
前記取得工程で取得した前記コンテンツ関連情報から、検索用キーワードを抽出するキーワード抽出工程と、
インターネット上において、前記キーワード抽出工程で抽出された前記検索用キーワードをウェブページに含むウェブサイトの検索を実行し、その検索結果である複数のウェブサイトの情報を取得するサイト検索工程と、
前記サイト検索工程で取得した前記検索結果の複数のウェブサイトのうちの、予め定められた順位までの上位の複数のウェブサイトを選定する第１のサイト選定工程と、
前記第１のサイト選定工程で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定工程と、
前記第２のサイト選定工程で選定された複数のシードサイトおよび当該シードサイトにリンクされている下位のウェブサイトから文章を収集し、当該収集した文章から、前記コンテンツの評判結果を取得する評判結果取得工程と、
を有するコンテンツ評判検索方法。
【請求項８】
請求項７に記載のコンテンツの評判検索方法において、
前記評判結果取得工程で取得した前記コンテンツの評判結果を、前記コンテンツのそれぞれを特定するための情報と対応させて、蓄積部に、複数の前記コンテンツについて蓄積する蓄積工程と、
ネットワークを通じて、前記コンテンツを特定する情報を伴う前記評判結果の取得要求を受信したときに、前記取得要求に含まれる前記コンテンツを特定する情報により特定される前記コンテンツについての評判結果を、前記蓄積工程で蓄積された複数のコンテンツの評判結果の中から読み出して、前記取得要求してきた相手方に前記ネットワークを通じて送信する評判結果送信工程と
を有するコンテンツの評判検索方法。
【請求項９】
ネットワークを通じて接続されるサーバ装置と、クライアント装置とからなり、
前記サーバ装置は、
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上において、前記キーワード抽出手段で抽出された前記検索用キーワードをウェブページに含むウェブサイトの検索を実行し、その検索結果である複数のウェブサイトの情報を取得するサイト検索手段と、
前記サイト検索手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
前記評判結果取得手段で取得した前記コンテンツの評判結果を、前記コンテンツのそれぞれを特定するための情報と対応させて、複数の前記コンテンツについて蓄積する蓄積手段と、
前記ネットワークを通じて、前記クライアント装置からの、前記コンテンツを特定する情報を伴う前記評判結果の取得要求を受信したときに、前記取得要求に含まれる前記コンテンツを特定する情報により特定される前記コンテンツについての評判結果を、前記蓄積手段により蓄積された複数のコンテンツの評判結果の中から読み出して、前記取得要求してきた相手方に前記ネットワークを通じて送信する評判結果送信手段と、
を備え、
前記クライアント装置は、
前記サーバ装置に、前記ネットワークを通じて、前記コンテンツを特定する情報を伴う前記評判結果の取得要求を送る手段と、
前記サーバ装置から、前記取得要求した前記コンテンツについての評判結果を受けて、使用者に報知する手段と、
を備えることを特徴とするコンテンツの評判検索システム。
【発明の詳細な説明】
【技術分野】
【０００１】
この発明は、例えば、放送番組コンテンツや、パッケージメディアに記録されたコンテンツなどのコンテンツに関する評判を検索する装置、方法およびシステムに関する。
【背景技術】
【０００２】
最近は、ハードディスク装置の大容量化により、例えば１日放送分以上の大量のテレビ放送番組コンテンツを記録することができる記録再生装置が登場している。そして、ユーザの登録したキーワードや嗜好情報をもとに、自動的にテレビ放送番組コンテンツを選定し、録画する機能が備わっている記録再生装置が多く、そのため、録画された多数のテレビ放送番組コンテンツの中から、どれを再生するかをユーザが考える機会が多くなってきている。
【０００３】
すなわち、この種の記録再生装置のユーザは、大量の録画テレビ放送番組コンテンツの中から、任意の録画テレビ放送番組コンテンツを選択して再生し、視聴することができるが、その録画テレビ放送番組コンテンツの選択の際に、それぞれの録画テレビ放送番組コンテンツの評判を知得することができれば、大量のテレビ放送番組コンテンツの中から、希望するコンテンツを選択する際の基準のひとつとして有益である。
【０００４】
ところで、インターネット上で、様々なトピックに関する感想や意見がユーザにより記述されているウェブサイトは多々あり、それらのトピックに関する感想や意見の情報を収集して、形態素解析技術や、構文解析技術を用いて解析し、前記トピックについての評判を判定するシステムは既に存在している（例えば特許文献１（特開２００３−２４８６８１号公報）、特許文献２（特開２００３−１５７２５５号公報）、特許文献３（特開２００３−１５７２５４）、特許文献４（特開２００３−１５７２５３号公報）など参照）。
【０００５】
上記の特許文献は、次の通りである。
【特許文献１】特開２００３−２４８６８１号公報
【特許文献２】特開２００３−１５７２５５号公報
【特許文献３】特開２００３−１５７２５４号公報
【特許文献４】特開２００３−１５７２５３号公報
【発明の開示】
【発明が解決しようとする課題】
【０００６】
しかし、上記の先行文献の技術は、テレビ放送番組コンテンツというトピックにおける情報特性を考慮したシステムではなく、様々なトピックを扱う汎用的なものである。このため、広範囲なウェブサイトをクローリングして、データを蓄積し、評判を判定する必要があり、それ相応の大規模なサーバシステムを必要としている。
【０００７】
すなわち、インターネット上のウェブサイトは膨大な数があり、その膨大な数のウェブサイトのそれぞれにアクセスして、それぞれのウェブサイトのウェブページからデータを収集して蓄積し、その蓄積した膨大な量のトピックに関する感想や意見の情報について、形態素解析や構文解析を行なって、評判判定を行うようにしており、大規模なサーバシステムとならざるを得なかった。
【０００８】
このため、従来は、個々のユーザが備えるパーソナル機器で、テレビ放送番組コンテンツなどのコンテンツの評判検索を行うことは、規模の点で困難であった。また、従来は、膨大な数のウェブサイトに巡回してアクセスして、評判検索対象のトピックに関する感想や意見の情報を収集するために、検索の結果の評判の情報を得るまでに、長時間がかかるという問題もあった。
【０００９】
この発明は、以上の点にかんがみ、比較的小規模な構成で、かつ、比較的短時間で、コンテンツの評判結果を得ることができるようにする装置、方法およびシステムを提供することを目的とする。
【課題を解決するための手段】
【００１０】
上記の課題を解決するために、請求項１の発明は、
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上において、前記キーワード抽出手段で抽出された前記検索用キーワードをウェブページに含むウェブサイトの検索を実行し、その検索結果である複数のウェブサイトの情報を取得するサイト検索手段と、
前記サイト検索手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置を提供する。
【００１１】
上記の構成の請求項１の情報処理装置によれば、評判を検索しようとするコンテンツのコンテンツ関連情報から、キーワード抽出手段は検索用キーワードを抽出する。そして、サイト検索手段（検索エンジン）は、インターネット上のウェブサイトに順次にアクセスして、ウェブサイトを自動的に巡回して、それぞれのウェブサイトのウェブページから情報を収集し、当該ウェブページにキーワード抽出手段で抽出した検索用キーワードを含むウェブサイトを検出する。
【００１２】
そして、第１のサイト選定手段は、前記検索用キーワードを含む複数個のウェブサイトのうちの、予め定められた順位までの上位の複数のウェブサイトを選定する。
【００１３】
そして、次に、第２のサイト選定手段は、第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する。ここで、シードサイトとは、当該ウェブサイトにリンクされている下位の階層のウェブサイトをクロールする起点となるウェブサイトのことを意味する。
【００１４】
評判結果取得手段は、第２のサイト選定手段で選定された複数のシードサイトおよび当該シードサイトにリンクされている下位のウェブサイトにクローリング、すなわち、巡回して、各ウェブページから文章を収集する。そして、評判結果取得手段は、収集した文章から、例えば形態素解析や構文解析を行なって、コンテンツの評判結果を取得する。
【００１５】
この請求項１の発明によれば、第１および第２のサイト選定手段により、２段階に絞った少ない数のウェブサイトのウェブページから、評判結果を取得するための文章を収集し、当該収集した文章から、評判結果を得るようにするので、従来に比べて、小規模の構成でよく、また、比較的短時間で評判結果を得ることができる。
【００１６】
また、請求項２の発明は、請求項１に記載の情報処理装置において、
前記評判結果取得手段で取得した前記コンテンツの評判結果を、前記コンテンツのそれぞれを特定するための情報と対応させて、複数の前記コンテンツについて蓄積する蓄積手段と、
ネットワークを通じて、前記コンテンツを特定する情報を伴う前記評判結果の取得要求を受信したときに、前記取得要求に含まれる前記コンテンツを特定する情報により特定される前記コンテンツについての評判結果を、前記蓄積手段により蓄積された複数のコンテンツの評判結果の中から読み出して、前記取得要求してきた相手方に前記ネットワークを通じて送信する評判結果送信手段と、
を備えることを特徴とする。
【００１７】
この請求項２においては、情報処理装置は、予め、種々のコンテンツについての評判結果を、第１および第２のサイト選定手段で絞ったウェブサイトから収集した文章から取得して、それぞれのコンテンツを特定する情報に対応させて、蓄積手段により、蓄積しておく。
【００１８】
そして、ネットワークを通じて、評判結果の取得要求が到来したときに、その取得要求に含まれるコンテンツを特定する情報に基づいて決定されるコンテンツについての評判結果を、蓄積されている情報から取り出して、当該取得要求してきた相手方に送るようにする。
【００１９】
したがって、コンテンツの評判結果の取得要求側は、即座に目的とするコンテンツの評判結果を取得することができ、便利である。
【００２０】
また、請求項３の発明は、
コンテンツのタイトルやコンテンツ内容の説明情報からなるコンテンツ関連情報を取得する取得手段と、
前記取得手段で取得した前記コンテンツ関連情報から、検索用キーワードを抽出するキーワード抽出手段と、
インターネット上の検索サイトに、前記キーワード抽出手段で抽出された前記検索用キーワードをウェブページに含むウェブサイトの検索を要求し、その検索結果である複数のウェブサイトの情報を取得するサイト検索要求手段と、
前記サイト検索要求手段で取得した前記検索結果の複数のウェブサイトのうちの、予め定められた順位までの上位の複数のウェブサイトを選定する第１のサイト選定手段と、
前記第１のサイト選定手段で選定された前記複数のウェブサイトにアクセスし、そのそれぞれのウェブページから文章を抽出し、抽出した文章に前記検索用キーワードを所定の閾値以上含む複数のウェブサイトを、シードサイトとして選定する第２のサイト選定手段と、
前記第２のサイト選定手段で選定された複数のシードサイトおよび当該シードサイトにリンクされている下位のウェブサイトから文章を収集し、当該収集した文章から、前記コンテンツの評判結果を取得する評判結果取得手段と、
を備える情報処理装置を提供する。
【００２１】
この請求項３の発明においては、請求項１のサイト検索手段は備えず、その代わりに、サイト検索要求手段を備える。このサイト検索要求手段は、インターネット上の検索サイトに、キーワード抽出手段で抽出された検索用キーワードをウェブページに含むウェブサイトの検索を要求し、その検索結果である複数のウェブサイトの情報を取得する。
【００２２】
そして、その結果取得した複数のウェブサイトの情報から、請求項１と同様にして、第１および第２のサイト選定手段により、評判結果を取得するウェブサイトを絞り込み、当該絞り込んだウェブサイトから収集した文章から評判情報を取得するようにする。
【００２３】
この請求項３の発明によれば、情報処理装置は、サイト検索手段を有せず、インターネット上の検索サイトに検索要求を出すだけでよいので、構成がその分、請求項１の場合よりも簡単になり、より小規模化することができる。すなわち、インターネット検索サイトを利用することにより、情報処理装置の構成をコンパクトにでき、例えば記録再生装置のような個人使用の装置にも搭載できる規模の情報処理装置を提供することができるものである。
【００２４】
また、請求項４の発明は、請求項１または請求項３に記載の情報処理装置において、
検索用キーワードの入力を受け付けるキーワード受付手段と、
前記サイト検索手段は、前記キーワード抽出手段で抽出された検索用キーワードに加えて、前記キーワード受付手段で受け付けた検索用キーワードを含むウェブサイトの検索を、前記インターネット上の検索サイトに要求し、その検索結果としての複数のウェブサイトの情報を取得する
ことを特徴とする。
【００２５】
この請求項４の発明によれば、検索用キーワードを、例えば利用者がさらに設定して追加することができるので、より適切なウェブサイトの絞込みが可能となる。
【００２６】
また、請求項５の発明は、請求項１または請求項３に記載の情報処理装置において、
前記第１のサイト選定手段は、前記検索サイトから取得した前記検索結果である複数のウェブサイトの情報に対して、絞込み条件に基づいて絞込みを行って、前記検索結果である複数のウェブサイトよりも少ないウェブサイトに絞り込む手段を備える
ことを特徴とする。
【００２７】
この請求項５の発明によれば、検索結果である複数のウェブサイトの情報について、絞込み条件に基づいて絞込みを行って、より少ないウェブサイトに絞り込まれる。
【発明の効果】
【００２８】
この発明によれば、第１および第２のサイト選定手段により、２段階に絞った少ない数のウェブサイトのウェブページから、評判結果を取得するための文章を収集し、当該収集した文章から、評判結果を得るようにするので、従来に比べて、小規模の構成でよく、また、比較的短時間で、検索対象のコンテンツの評判結果を得ることができる。
【発明を実施するための最良の形態】
【００２９】
以下、この発明の実施の形態を、図を参照しながら説明する。
【００３０】
［情報処理装置の第１の実施の形態］
この発明の情報処理装置の第１の実施の形態は、テレビ放送を受信して、ハードディスクなどの録画情報記憶部に記憶し、また、この録画情報記憶部から読み出して再生することができる、いわゆるハードディスクレコーダなどの記録再生装置の場合である。
【００３１】
図１は、この第１の実施の形態の情報処理装置の例としての記録再生装置１のハードウエア構成を示すものである。また、図２は、この実施の形態の記録再生装置１を含むコンテンツ評判検索システムの構成の概要を示すものである。
【００３２】
図２に示すように、この実施の形態の記録再生装置１は、モニター装置２に接続されると共に、インターネット３に接続される。このインターネット３には、検索エンジンを備える検索サイト４のほか、多数の掲示板サイト５、多数のブログサイト６などが接続されている。モニター装置２は、図示は省略するが、ＬＣＤ（Ｌｉｑｕｉｄ  Ｃｒｙｓｔａｌ  Ｄｉｓｐｌａｙ）などの画像表示用のディスプレイと、音声再生用のスピーカを備える。
【００３３】
検索サイト４は、例えば記録再生装置１などの検索要求端末から、インターネット３を通じて検索用キーワードを受け取ると、検索エンジンを用いて、当該検索用キーワードをウェブページに含むウェブサイトの検索を行い、例えば検索の結果得られたウェブサイトのＵＲＬ（Ｕｎｉｆｏｒｍ  Ｒｅｓｏｕｒｃｅ  Ｌｏｃａｔｏｒ）などを含む検索結果を、検索要求端末に送るようにする。
【００３４】
掲示板サイト５は、アクセスしてきたインターネットの利用者が自由に自分の意見や感想などを書き込むことができる電子掲示板を開設しているウェブサイトであり、企業や個人が開設している。この掲示板サイト５の電子掲示板には、コンテンツについての意見、感想、や、その他の様々なトピックに関する感想や意見などが書き込まれる。
【００３５】
ブログサイト６は、個人や企業などが、日記を書き込んだり、読んだ本や観た映画をレビューしたり、種々の情報を書き込んで、提示するウェブサイトである。このブログサイトにも、コンテンツについての意見や感想などが掲載されることがあるのは言うまでもない。なお、ブログサイトのＵＲＬには、一般に「ｂｌｏｇ」という語が含まれている。
【００３６】
この第１の実施の形態の記録再生装置１は、検索用キーワードを含むウェブページを備えるウェブサイトを検索する検索エンジンは有せず、当該検索用キーワードを含むウェブページを備えるウェブサイトの検索は、検索サイト４に依頼するようにする。
【００３７】
そして、この実施の形態の記録再生装置１は、検索サイト４から取得した検索結果のウェブサイトの中から、評判検索対象のコンテンツの評判結果（評判についての情報）を得るためのウェブサイトを絞り込む。そして、この実施の形態の記録再生装置１は、その絞り込んだウェブサイトのウェブページおよびそのウェブサイトにリンクしている下位のウェブサイトのウェブページから、前記コンテンツの評判結果の情報を得るための文章情報を収集し、その文章情報から評判に関する語を検出し、検出した評判に関する語に基づいて、評判結果を取得し、その評判結果を、この例では、モニター装置２に送り、このモニター装置２において表示したり、音声により放音したりして、ユーザに提示するようにする。
【００３８】
図１に示す記録再生装置１のハードウエア構成例は、上記の機能を実現するようにするものである。すなわち、図１に示すように、この実施の形態の記録再生装置１は、システムバス１００に対して、制御部１０、テレビ放送受信および記録再生部２０、評判検索処理部３０、評判検索用辞書群４０、が接続されて構成されている。
【００３９】
制御部１０は、この例では、マイクロコンピュータで構成され、ＣＰＵ（Ｃｅｎｔｒａｌ  Ｐｒｏｃｅｓｓｉｎｇ  Ｕｎｉｔ）１１と、プログラム用ＲＯＭ（Ｒｅａｄ  Ｏｎｌｙ  Ｍｅｍｏｒｙ）１２と、ワークエリア用ＲＡＭ（Ｒａｎｄｏｍ  Ａｃｃｅｓｓ  Ｍｅｍｏｒｙ）１３とを備えている。
【００４０】
プログラム用ＲＯＭ１２には、テレビ放送番組選択制御用プログラム、テレビ放送番組コンテンツの記録（録画）／再生制御用プログラム、コンテンツ評判検索および評判結果取得用プログラム、その他のプログラムが格納されており、ＣＰＵ１１が、このＲＯＭ１２に格納されているプログラムを、ＲＡＭ１３をワークエリアとして用いながら実行することにより、上記のような種々の処理制御動作を行うものである。
【００４１】
テレビ放送受信および記録再生部２０は、テレビ放送波受信デコード部２１と、記録再生処理部２２と、録画情報記憶部２３と、モニター出力インターフェース２４と、操作部２５および操作部インターフェース２６と、を備えている。制御部１０は、操作部２５を通じたユーザ操作入力を操作部インターフェース２６を通じて受け取って、ユーザ操作入力がどのような指示入力であるかを判断し、その判断結果に応じて、指示入力に応じた処理制御を実行する。
【００４２】
テレビ放送波受信デコード部２１は、この例では、アナログ地上波テレビ放送、デジタル地上波テレビ放送、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送などを受信することができる機能を備えている。
【００４３】
そして、このテレビ放送波受信デコード部２１は、制御部１０からのテレビ放送番組選択制御信号に基づいて選択したテレビ放送波のテレビ放送番組を受信してデコードし、そのデコードして得られたテレビ放送番組コンテンツの映像信号および音声信号ＡＶをシステムバス１００に送出する。
【００４４】
制御部１０は、操作部２５を通じたユーザの放送波選択操作入力および放送番組選択操作入力に基づいて、テレビ放送波受信デコード部２１に供給するテレビ放送番組選択制御信号を生成する。
【００４５】
そして、制御部１０は、操作部２５を通じたユーザの操作入力として、録画開始指示や再生開始指示がなされていないと判断したときには、テレビ放送波受信デコード部２１からシステムバス１００に送出された映像信号および音声信号ＡＶを、モニター出力インターフェース２４を通じてモニター装置２に送り、モニター装置２の画面に、その映像を表示させると共に、音声を音響出力させるようにする。
【００４６】
また、制御部１０は、操作部２５を通じたユーザの操作入力として、録画開始指示を受けたと判断したときには、テレビ放送波受信デコード部２１からシステムバス１００に送出された映像信号および音声信号ＡＶを記録再生処理部２２に送る。
【００４７】
記録再生処理部２２は、記録エンコード部と再生デコード部とを備え、録画開始指示を受けたと判断したときには、制御部１０からの制御により、映像信号および音声信号ＡＶは、記録再生処理部２２の記録エンコード部で、データ圧縮を含む記録エンコード処理され、録画情報記憶部２３に書き込まれて記憶される。
【００４８】
録画情報記憶部２３は、この例では、ハードディスク装置や大容量の半導体メモリ装置で構成され、比較的多数のテレビ放送番組コンテンツを記憶することが可能である。
【００４９】
なお、この第１の実施の形態では、テレビ放送波受信デコード部２１は、テレビ放送波から、ＥＰＧ（Ｅｌｅｃｔｒｏｎｉｃ  Ｐｒｏｇｒａｍｍｉｎｇ  Ｇｕｉｄｅ；電子番組表）情報を得る機能を備える。
【００５０】
制御部１０は、このＥＰＧ情報を、例えばＲＡＭ１３に一時蓄えておき、録画指示されたテレビ放送番組コンテンツの録画情報を、録画情報記憶部２３に記憶する際に、当該一時蓄積されているＥＰＧ情報から、録画されたテレビ放送番組コンテンツのタイトルや、出演者名、そのコンテンツ内容に関する情報などのコンテンツ関連情報を抽出し、当該抽出したコンテンツ関連情報を、録画されたテレビ放送番組コンテンツに対応付けて、録画情報記憶部２３に記憶するようにする。また、録画日時などの情報も、併せて対応付けて記憶するようにする。
【００５１】
そして、この第１の実施の形態では、ユーザは、録画されたテレビ放送番組コンテンツの再生に先立ち、操作部２５を通じて、例えば録画済みテレビ放送番組コンテンツ（以下、録画コンテンツという）の一覧表示を指示することができる。
【００５２】
この録画コンテンツの一覧表示指示を受けると、制御部１０は、この例では、録画情報記憶部２３に記憶されているテレビ放送番組コンテンツのそれぞれについて、タイトルと録画日時とを表示する録画済み放送番組一覧の情報を、モニター装置２に送って、そのディスプレイに表示させるようにする。
【００５３】
そして、この録画コンテンツの一覧表示においては、希望する録画コンテンツを選択して再生開始させることができるだけでなく、この実施の形態においては、選択された録画コンテンツの評判の検索指示をすることができるように構成されている。
【００５４】
前記録画コンテンツの一覧表示から、選択された録画コンテンツの評判の検索指示を受け付けると、制御部１０は、後述するように、評判検索処理部３０および評判検索用辞書群４０を用いて、インターネット３からの情報から、検索指示された録画コンテンツの評判結果の情報を取得して、その評判結果の情報を、モニター装置２に送って、そのディスプレイに表示させるようにする。ユーザは、モニター装置２のディスプレイに表示された、この評判結果の情報を参考にして、多数の録画コンテンツの中から、再生を開始したい録画コンテンツを選択することができる。
【００５５】
そして、制御部１０は、操作部２５を通じたユーザの操作入力として、前記録画コンテンツの一覧表示から選択された録画コンテンツについて再生開始指示を受けたと判断したときには、録画情報記憶部２３から、選択指示された録画コンテンツの録画情報を読み出して、記録再生処理部２２に送る。
【００５６】
記録再生処理部２２は、制御部１０の制御指示を受けて、再生デコード部を動作させ、入力されてきた録画コンテンツの録画情報を、圧縮伸長デコードを含む再生デコード処理をして、映像信号および音声信号ＡＶを復元する。復元された映像信号および音声信号ＡＶは、制御部１０の制御により、モニター装置２に送られて、再生映像がディスプレイに表示されると共に、再生音声がスピーカにより音響再生される。
【００５７】
次に、評判検索処理部３０について説明する。評判検索処理部３０は、この例では、それぞれシステムバス１００に接続されている、インターネット３に接続するための通信インターフェース３１と、インターネット検索処理部３２と、ＨＴＭＬ（ＨｙｐｅｒＴｅｘｔ  Ｍａｒｋｕｐ  Ｌａｎｇｕａｇｅ）パース処理部３３と、ＨＴＭＬクロール処理部３４と、形態素解析エンジン３５と、構文解析エンジン３６と、評判判定処理部３７とから構成されている。
【００５８】
ここで、インターネット検索処理部３２、ＨＴＭＬパース処理部３３、ＨＴＭＬクロール処理部３４、形態素解析エンジン３５、構文解析エンジン３６、評判判定処理部３７のそれぞれは、ハードウエアとして構成することもできるが、ソフトウエアプログラムアプリケーションとして構成することもできるものである。なお、ソフトウエアプログラムアプリケーションとして構成される場合には、予めＲＯＭ１２に記憶されるものである。
【００５９】
また、評判検索用辞書群４０は、この例では、それぞれシステムバス１００に接続されている、形態素解析辞書４１と、構文解析辞書４２と、シソーラス辞書４３と、評判ルール辞書４４とからなっている。
【００６０】
評判検索処理部３０の各部は、ユーザにより、録画コンテンツについての評判の検索指示があったときに、制御部１０により起動される。
【００６１】
インターネット検索処理部３２は、検索サイト４のＵＲＬを記憶しており、後述するようにして、評判検索指示があった録画コンテンツのコンテンツ関連情報から抽出された検索用キーワードを含むサイト検索要求を生成し、制御部１０の制御の下、通信インターフェース３１を通じて、前記検索サイト４にアクセスするようにするためのものである。
【００６２】
ＨＴＭＬパース処理部３３は、ＨＴＭＬで記述された文書（以下、ＨＴＭＬ文書という。ＨＴＭＬ文書には、テキスト文字からなる文章のみではなく、画像を張ることも可能）を解析し、タグや画像部分を除外して、テキスト文字からなる文章部分のみを抽出する処理機能を備える。ここで、パースとは、ＨＴＭＬを解析して文章部分のみを抽出することを意味する。
【００６３】
ＨＴＭＬクロール処理部３４は、ウェブサイトのＨＴＭＬ文書を収集し、パースして、リンクするウェブサイトを割り出し、その割り出したリンク先のＨＴＭＬ文書を収集、パースして、また、その中のリンク箇所を割り出し、そのリンク先のＨＴＭＬ文書を収集、パースし、・・・という作業を、複数階層分繰り返す処理を行う。この処理をクローリングと呼ぶ。
【００６４】
形態素解析エンジン３５は、フレーズ（句）や文章を、言語で意味を持つ最小単位（形態素）に分割し、形態素解析辞書４１を参照しながら、それぞれについて、名詞、動詞、副詞、助詞、形容詞などの品詞を判別する処理を行う。形態素解析辞書４１の辞書データは、インターネット３を通じて取得してもよいし、予め当該記録再生装置１用として作成するようにしてよい。形態素解析および形態素解析辞書については、周知であるので、ここではその詳細な説明は省略する。
【００６５】
構文解析エンジン３６は、構文解析辞書４２を参照しながら、形態素解析エンジン３５による形態素解析の結果、単語の区切りと品詞の種類が分かっている状態で、文章がどのような規則によって生成されたかを算出する処理を行う。構文解析辞書４２の辞書データも、インターネット３を通じて取得してもよいし、予め当該記録再生装置１用として作成するようにしてよい。構文解析および構文解析辞書についても、周知であるので、ここではその詳細な説明は省略する。
【００６６】
評判判定処理部３７は、評判ルール辞書４４を参照して、評判結果として、この例では、評判値（評判スコア）を算出する処理を行う。評判ルール辞書４４の辞書データは、この実施の形態では、予め当該記録再生装置１用として作成するようにする。
【００６７】
［評判ルール辞書の作成］
この評判ルール辞書４４の辞書データの作成方法の手順を、図３のフローチャートを参照して説明する。また、評判ルール辞書４４の辞書データの例を、図４に示す。
【００６８】
先ず、評判表現語と、その評価値（スコア）とを、評判ルール辞書４４に登録する（手順Ｔ１）。ここで、評判表現語とは、「おもしろかった」、「感動した」、「よかった」、「つまらなかった」、「おもしろくなかった」、「よくなかった」など、肯定的な評価または否定的な評価を表現する語である。そして、肯定的な評判表現語には、正（＋）の評価値（スコア）を割り当て、否定的な評判表現語には、負（−）の評価値（スコア）を割り当てて登録するようにする。
【００６９】
例えば、図４に示すように、肯定的な評判表現語のうち、「おもしろかった」、「感動した」に対してはそれぞれ「＋５点」、「よかった」に対しては「＋２点」、などのように評価値を割り当て、また、否定的な評判表現語のうち、「つまらなかった」、「おもしろくなかった」に対してはそれぞれ「−５点」、「よくなかった」に対しては「−２点」を割り当てて、それぞれ登録するようにする。
【００７０】
次に、程度表現語と、その重み係数（掛け率）とを、評判ルール辞書４４に登録する（手順Ｔ２）。ここで、程度表現語とは、「とても」、「すごく」、「たいへん」、「非常に」、などのように、その語が係る語に対する程度を表す語である。程度表現語の重み係数（掛け率）は、程度表現語が評判表現語の前に現れた場合に、評判表現語の評価値に対する掛け率となる。
【００７１】
例えば、図４に示すように、程度表現語とは、「とても」には重み係数（掛け率）として「×２」を割り当て、「すごく」には、重み係数（掛け率）として「×３」を割り当てて、それぞれ登録するようにする。
【００７２】
最後に、登録した評判表現語および程度表現語のそれぞれについて、形態素解析エンジン３５により形態素解析を行ない、その解析結果を評判ルール辞書４４に、図４に示すように、それぞれの評判表現語や程度表現語に対応して記録保持するようにする。以上で、評判ルール辞書４４が作成される。なお、このときの評判表現語および程度表現語についての形態素解析結果を、評判表現語（形態素解析結果）および程度表現語（形態素解析結果）と、以下、表記することとする。
【００７３】
シソーラス辞書４３は、同義語、類似語、略語など、ある語に意味的に類似している語（意味的類似語という）が登録されている辞書である。このシソーラス辞書４３には、予め、そのような意味的類似語を登録しておくと共に、ユーザが必要に応じて、同義語、類似語、略語などを後から追加して登録することができるようにしておく。
【００７４】
このシソーラス辞書４３は、ユーザがコンテンツの評判を掲示板に記述したり、ブログに記述したりする際に、検索用キーワードとなる語をそのまま使用するのではなく、その同義語や略語などを用いて、記述することを考慮して、後述するように、コンテンツの評判検索を行う際に、検索用キーワードの意味的類似語の範囲でも、評判検索を行うようにするために、設けられている。
【００７５】
［評判検索処理］
次に、以上のような構成を備える記録再生装置１において、録画情報記憶部２３に記憶されているテレビ放送番組コンテンツについての評判検索の処理手順について、図５〜図９を参照しながら以下に説明する。
【００７６】
図５および図６は、この実施の形態の記録再生装置１において、制御部１０の制御の下に、評判検索処理部３０が、評判検索用辞書群４０を用いながら行う評判検索処理の流れの例を示すフローチャートである。この図５および図６のフローチャートは、前述したように、この例では、録画コンテンツ一覧から、ユーザが、評判検索したい特定の録画コンテンツを選択指示して、かつ、その評判の検索指示操作をしたときに、開始される。
【００７７】
また、図７〜図９は、図５および図６の各ステップの処理内容を、具体例を挙げながら補助的に説明するための流れ図である。図５および図６の流れと、図７〜図９の流れとは、完全には対応していないが、対応関係が分かるように示している。
【００７８】
制御部１０は、録画コンテンツの評判の検索指示を受け付けると、先ず、評判検索指示された録画コンテンツに対応して録画情報記憶部２３に記憶されているコンテンツ関連情報を読み出して、ＥＰＧから取得した、当該録画コンテンツのタイトルや番組内容情報を取得する（図５のステップＳ１）。
【００７９】
そして、制御部１０は、取得したコンテンツ関連情報（番組情報）を、形態素解析エンジン３５に渡して、形態素解析を実行させる（図５のステップＳ２）。そして、制御部１０は、形態素解析の結果、名詞として検出された語を、検索用キーワードとして選別し、インターネット検索処理部３２に渡す（図５のステップＳ３）。
【００８０】
例えば、このとき、ステップＳ１で取得したコンテンツ関連情報として、図７のステップＳ２１に示すように、録画コンテンツのタイトルが「華麗なる王族」であり、その番組内容情報として出演者の「木村拓夫」、「南大路銀八」などの語が含まれたものが得られたとした場合、形態素解析による名詞のみの抽出（図７のステップＳ２２）により、検索用キーワードとしては、ステップＳ２３に示すように、「華麗」、「王族」、「木村拓夫」、「南大路銀八」・・・などが抽出される。
【００８１】
なお、この場合において、前記タイトルについての形態素解析結果をタイトル（形態素解析結果）と、前記番組内容情報についての形態素解析結果を内容情報（形態素解析結果）と、それぞれ以下において表記することとする。
【００８２】
この実施の形態では、このように自動的にコンテンツ関連情報から抽出される検索用キーワードのみを用いて評判検索する場合のみではなく、ユーザが指定する検索用キーワードを受け付けることが可能とされており、このため、制御部１０は、例えば、追加の検索用キーワードの入力を促すメッセージをモニター装置２のディスプレイに表示させ、操作部２５を通じたユーザの検索用キーワードの入力を待ち、当該検索用キーワードの入力を受け付けたときには、当該受け付けた検索用キーワードを、追加検索用キーワードとして、インターネット検索処理部３２に送る（図５のステップＳ４）。
【００８３】
なお、この追加の検索用キーワードは必須のものではなく、ユーザが、追加不要と指示することもできる。その際には、制御部１０は、前記の追加の検索用キーワードの入力を促すメッセージを消去して、次のステップに移行するようにする。その場合には、検索用キーワードは、図５のステップＳ３で抽出された検索用キーワードのみとなる。また、検索用キーワードの追加受け付けのステップＳ４は、設けなくても良い。
【００８４】
例えば、図７のステップＳ２４に示すように、ユーザにより検索用キーワードの追加入力があり、それが「ブログ」であったときには、図７のステップＳ２５に示すように、図５のステップＳ３（＝図７のステップＳ２１）で取得された検索用キーワードに追加される。
【００８５】
なお、この例で追加された「ブログ」は、ユーザが、ブログサイトから、評判情報を取得することを意図して追加したキーワードである。
【００８６】
追加検索用キーワードは、これに限られるものではないことは勿論であり、例えば掲示板サイトから、評判情報を取得することを意図する場合には、「掲示板」を追加検索用キーワードとして入力するようにしてもよい。また、このようなウェブサイトについての語ではなく、検索対象である録画コンテンツに関連する語を検索用キーワードとして追加検索用キーワードとして入力しても良いことは言うまでもない。
【００８７】
次に、制御部１０は、インターネット検索処理部３２に対して、検索サイトに検索要求を送出するように制御する。これを受けて、インターネット検索処理部３２は、予め登録されている検索サイト４に対して、通信インターフェース３１およびインターネット３を通じて、受け取った検索用キーワードを含めた検索要求を送る（図５のステップＳ５）。
【００８８】
この検索要求に対して、検索サイト４では、受け取った検索用キーワードをウェブページに含むウェブサイトを検索し、検索結果のウェブサイトのＵＲＬの情報を送ってくるので、制御部１０は、通信インターフェース３１を通じて、当該ＵＲＬの情報を受け取り、その上位Ｎ番目までのウェブサイトのＵＲＬの情報を、ＲＡＭ１３、あるいは、例えばハードディスクドライブからなる録画情報記憶部２３の空き領域に一時記憶する。
【００８９】
このように上位Ｎ番目までのウェブサイトに限定することで、膨大な量の検索結果のウェブサイトの中から、有限個のウェブサイトを選定する（評判検索用ウェブサイトの第１の選定；図５のステップＳ６）。
【００９０】
図７の例では、ステップＳ２５に示すように、「華麗」、「王族」、「木村拓夫」、「南大路銀八」・・・に、「ブログ」を追加した検索用キーワードにより、検索サイトで検索（ウェブ検索；図７のステップＳ２６）が行われ、その結果、検出された多数のウェブサイトの中から、上位Ｎ位までのウェブサイトのＵＲＬが保持される（図７のステップＳ２７）。
【００９１】
なお、図５のステップＳ６の評判検索用ウェブサイトの第１の選定においては、ＵＲＬに含まれる特定の語、例えば「ｂｌｏｇ」を用いて、さらに、ウェブサイトを絞り込むことができる。すなわち、ＵＲＬに含まれる特定の語は、特定種のサイトである可能性が高く、その特定種のサイトのみに絞り込むことができる。ＵＲＬに、例えば「ｂｌｏｇ」を含むウェブサイトに絞り込んだ場合には、ブログサイトのみのウェブサイトを抽出することが可能である。
【００９２】
図８のステップＳ３１に示すように、この例では、ＵＲＬに、「ｂｌｏｇ」を含むウェブサイトに絞り込むようにする。そして、その絞込みの結果、残ったウェブサイトの数が予定している有限個Ｍ（Ｍ≦Ｎ）よりも多いときには、この例では、さらにその上位Ｍ個のウェブサイトに絞り込むようにする（図８のステップＳ３２）。
【００９３】
なお、先に、「ｂｌｏｇ」を含むウェブサイトに絞り込んだ後に、その絞り込んだ結果の上位Ｎ個に絞るようにしてもよい。
【００９４】
こうして、評判検索用ウェブサイトの第１の選定が終了したら、制御部１０は、選定したウェブサイトに順次にアクセスし、各ウェブサイトからのＨＴＭＬ文書を収集し、ＨＴＭＬパース処理部３３に、当該収集したＨＴＭＬ文書を渡し、パースして文章をそれぞれ抽出するように指示する（図５のステップＳ７および図８のステップＳ３３〜ステップＳ３５）。
【００９５】
例えば、「＜ＨＴＭＬ＞＜ＢＯＤＹ＞昨日の華麗なる王族は＜Ｂ＞すごく＜Ｂ＞面白かったなあ！＜／ＢＯＤＹ＞＜／ＨＴＭＬ＞」というＨＴＭＬ文書が収集されたときには、ＨＴＭＬパース処理部３３におけるパースの結果、「昨日の華麗なる王族はすごくおもしろかったなあ！」という文章が抽出される。
【００９６】
次に、制御部１０は、抽出した文章のそれぞれを形態素解析エンジン３５に送って、形態素解析を行ない、名詞のみを抽出して、検索用キーワードを検出する（図５のステップＳ８および図８のステップＳ３６〜ステップＳ３７）。
【００９７】
そして、制御部１０は、検索用キーワードを、予め定められている検索用キーワードの含有率の閾値θｔｈ（％）以上、ＨＴＭＬ文書に含むウェブサイトを特定し、特定されたウェブサイトを評判検索対象サイトとして選定（第２のサイト選定）する（図５のステップＳ９および図８のステップＳ３８〜ステップＳ３９）。ここで、第２のサイト選定により選定されたウェブサイトを、後述するように、そのウェブサイトを起点にクローリングするので、シードサイトと呼ぶことにする。
【００９８】
この第２のサイト選定に際しては、検索用キーワードが、放送番組コンテンツのタイトルから抽出されたものか、番組内容情報から抽出されたものか、ユーザによって追加入力されたものかによって、それぞれ毎に重みが設定されて、検索用キーワードの含有率が算出される。
【００９９】
例えば、検出された検索用キーワードの個数１に対してタイトルから抽出された検索用キーワードには、重み１．５を設定し、番組内容情報から抽出された検索用キーワードには、重み１．０を設定し、ユーザによって追加入力された検索用キーワードには、重み０．８を設定するようにする。
【０１００】
そして、例えば、ステップＳ３で選定された検索用キーワードが、タイトルから抽出された「華麗」および「王族」と、番組内容情報から抽出された「木村拓夫」および「南大路銀八」と、ユーザにより追加された「ブログ」とからなる５個からなるものである場合において、収集された文章が、例えば「みんなのブログ：木村拓夫が出演した昨日の華麗なる王族はおもしろかったなあ！」であった場合には、ステップＳ８では、「ブログ」、「木村拓夫」、「華麗」、「王族」の４個が検出される。
【０１０１】
そして、ステップＳ９において、検索用キーワードの含有率が算出されると、上記５個の検索用キーワードが全て検出された場合には、含有ポイントは、
１．５＋１．５＋１．０＋１．０＋０．８＝５．８
であるのに対して、上記の４個の検索用キーワードが検出された文章の含有ポイントは、
１．５＋１．５＋１．０＋０．８＝４．８
であるので、上記の文章の検索用キーワードの含有率は、
４．８／５．８≒８２．８（％）
となる。
【０１０２】
前記閾値θｔｈ＝７０（％）であるとされているときには、上記の文章は、検索用キーワードの含有率が閾値θｔｈを超えているので、当該文章をウェブページに含むウェブサイトは、ステップＳ９においてシードサイトとして選定される。
【０１０３】
次に、制御部１０は、こうして選定されたシードサイト（図９のステップＳ４０）のそれぞれを起点サイトとして、予め定められた階層数分、クローリングを行うように、ＨＴＭＬクロール処理部３４に指示する（図５のステップＳ１０および図９のステップＳ４１）。
【０１０４】
ＨＴＭＬクロール処理部３４は、先ず、シードサイトのＨＴＭＬ文書を収集し、パースし、リンク箇所を割り出し、その割り出したリンク先のＨＴＭＬ文書を収集し、パースし、また、その中のリンク箇所を割り出し、その割り出したリンク先のＨＴＭＬ文書を収集し、パースし、・・・という作業を、前記の予め定められた階層数分、繰り返す。
【０１０５】
なお、この場合において、何階層分クローリングするか、また、クローリングは、ドメイン内のみのリンクサイトについて行うか、全てのリンクサイトについて行うかのユーザ指定入力を、この評判検索処理の開始に先立ち、行えるようにしておいてもよい。
【０１０６】
次に、制御部１０は、図５のステップＳ１０で収集したＨＴＭＬ文書（図９のステップＳ４２）を、ＨＴＭＬパース処理部３３に渡して、パースを行わせ、文章を抽出させるようにする（図６のステップＳ１１および図９のステップＳ４３）。
【０１０７】
次に、制御部１０は、ステップＳ１１での抽出された文章を、形態素解析エンジン３５および構文解析エンジン３６により、形態素解析処理および構文解析処理を実行させるように制御する（図６のステップＳ１２および図９のステップＳ４４）。このときの形態素解析結果をクロール文章（形態素解析結果）と、また、構文解析結果をクロール文章（構文解析結果）と、それぞれ表記することとする。
【０１０８】
次に、制御部１０は、クロール文章（形態素解析結果）と、クロール文章（構文解析結果）とを評判判定処理部３７に渡し、評判判定処理部３７に、評判ルール辞書を用いて、ステップＳ１２の処理結果から、評判検索対象のコンテンツの評判値、および評判代表文を抽出する（図６のステップＳ１３および図９のステップＳ４６）。
【０１０９】
評判判定処理部３７は、先ず、クロール文章（形態素解析結果）の中から、評判表現語（形態素解析結果）が存在する文を探し出す。見つかった文において、次の、（１）、（２）、（３）の処理を実行する。
【０１１０】
（１）クロール文章（構文解析結果）を参照し、評判表現語（形態素解析結果）と係り受け関係にある単語を割り出し、割り出した単語が、タイトル（形態素解析結果）、内容情報（形態素解析結果）、に存在する単語であった場合、その番組に関する評判を記述している文（この文をタイプＡの文という）であると判定する。
【０１１１】
（２）クロール文章（構文解析結果）を参照し、評判表現語（形態素解析結果）と係り受け関係にある単語を割り出し、割り出した単語が、タイトル（形態素解析結果）、内容情報（形態素解析結果）、に存在する単語に関連のある単語であった場合、その番組に関する評判を記述している文（この文をタイプＢの文という）であると判定する。
【０１１２】
ここで、「関連のある単語」とは、同義語（例：日本＝ジャパン）、上位語（例：日本の上位はアジア）など、意味的に関連のあることを指し、これらの関連のある単語であるかどうかは、シソーラス辞書４３を参照することにより、判定することができる。これは、検索用キーワードと関連のある単語による評判の書き込みがあることを考慮したものである。
【０１１３】
（３）上記（１）、上記（２）の条件に合致しなくても、クロール文章（形態素解析結果）の中から、評判表現語（形態素解析結果）が存在する文として見つかった文を、その番組に関する評判を記述している文（この文をタイプＣの文という）であると判定する。
【０１１４】
そして、評判判定処理部３７は、この実施の形態では、肯定的評判値と、否定的評判値とを、それぞれ別々に算出するようにしており、上記のタイプＡ、タイプＢ、タイプＣの３タイプの文において、
・評判ルール辞書４４を参照して、見つかった評判表現語の評価値（スコア値）が＋の値の場合は、その評価値を肯定的評判値に加算し、
・評判ルール辞書４４を参照して、見つかった評判表現語の評価値（スコア値）が−の値の場合は、その評価値を否定的評判値に加算する。
【０１１５】
その際、この実施の形態では、タイプＡ、タイプＢ、タイプＣに応じた重み付け係数が予め設定されており、評判判定処理部３７では、前記見つかった評判表現語の評価値（スコア値）に、それぞれのタイプに応じた重み付け係数を掛けたものを、前記肯定的評判値あるいは前記否定的評判値に加算する。この場合、その重み付け係数は、タイプＡの重み付け係数＞タイプＢの重み付け係数＞タイプＣの重み付け係数、という関係に、予め設定されて評判判定処理部３７に保持されている。
【０１１６】
なお、上記（１）、（２）において、前記係り受けが、否定の係り受けであった場合は、評判表現語の意味内容が逆の意味内容になるので、評判表現語の評価値（スコア値）が＋の場合は、否定的評判値に加算し、評判表現語の評価値（スコア値）が−の場合は、肯定的評判値に加算するようにする。
【０１１７】
さらに、この実施の形態では、クロール文章（形態素解析結果）にて、評判表現語（形態素解析結果）の前に、程度表現語（形態素解析結果）が存在していた場合は、当該程度表現語の掛け率を評判ルール辞書４４から認識し、その掛け率を、評判表現語の評価値（スコア値）に掛けたものを、前記肯定的評判値あるいは前記否定的評判値に加算するようにする。
【０１１８】
さらに、この実施の形態では、評判判定処理部３７は、前記検出した３タイプの文を、評判代表候補文として保持しておく。
【０１１９】
次に、制御部１０は、評判判定処理部３７で算出された肯定的評判値および否定的評判値と、前記評判代表候補文から選定した１または数文を、評判結果として取り出し、それをモニター装置２のディスプレイに表示する表示情報に変換して、モニター出力インターフェース２４を通じてモニター装置２に送出するようにする（図６のステップＳ１４および図９のステップＳ４７）。
【０１２０】
図１０に、評判結果の表示例を示す。この例は、肯定的評判値（Ｐｏｓｉｔｉｖｅ）と、否定的評判値（Ｎｅｇａｔｉｖｅ）と、肯定的代表文の数文および否定的代表文の数文と、検索の結果、ヒットしたウェブサイトの数および抽出された評判に関する文の数とを表示するものとなっている。
【０１２１】
なお、保持されている評判代表候補文から、表示する評判代表文の数文を選定する方法としては、例えば、
・番組内容情報から抽出した検索用キーワードよりも、タイトルから抽出した検索用キーワードを多く含む文を優先する
・全評判代表候補文の中で、出現回数が多い単語をより多く含む文を優先する
・ランダムに選定する
などの方法を用いることができる。
【０１２２】
以上のようにして、上述した第１の実施の形態によれば、検索用キーワードにより検索されたインターネット上の多数のウェブサイトから、２段階の絞込みにより有限個とされたウェブサイトについてクローリングして、評判が既述されている文を検出し、その検出された文から、評判結果を取得するようにするので、比較的簡単な構成で、評判検索装置を構成することができる。
【０１２３】
このため、上述の実施の形態のような記録再生装置の一機能手段として、評判検索処理部を搭載することが可能となる。これにより、インターネットに接続されているパーソナルコンピュータを起動して、上述のような評判判定システムを利用し、各番組の評判を検索する必要は無く、上述の実施の形態のように、記録再生装置が、直接、インターネット上の評判を検索し、表示することができるので、ユーザにとっては非常に便利である。
【０１２４】
なお、上述の第１の実施の形態は、情報処理装置が記録再生装置の場合であるが、この発明の情報処理装置は、記録再生装置に限られるものではないことは言うまでもない。そして、上述の実施の形態は、検索対象コンテンツが、放送番組コンテンツであったので、検索用キーワードは、ＥＰＧ情報から取得した情報から抽出するようにしたが、これに限られるものでないことは勿論であり、例えば、コンテンツ提供サーバに、コンテンツのタイトルやコンテンツ内容の説明情報からなるコンテンツ関連情報が蓄積されていれば、それを情報処理装置が取得し、検索用キーワードを抽出することができる。
【０１２５】
［情報処理装置の第２の実施の形態］
上述した第１の実施の形態は、記録再生装置自身が、この発明による情報処理装置の実施の形態を構成するようにした場合であるが、例えばインターネット上や、ＬＡＮ上などに評判検索用サーバ装置を設け、この評判検索用サーバ装置により、この発明の情報処理装置の実施の形態を構成することもできる。以下に説明する第２の実施の形態は、その場合の一例である。
【０１２６】
図１１は、この第２の実施の形態の情報処理装置を含むシステムの概要を説明するための図である。
【０１２７】
この第２の実施の形態においては、インターネット上の番組評判検索蓄積サーバ装置７が設けられる。この番組評判検索蓄積サーバ装置７は、上述した記録再生装置１の評判検索処理部３０および評判検索辞書群４０と同様の構成を備え、予め、評判検索要求が想定されるコンテンツについての評判結果を蓄積して保存しておき、記録再生装置１などのクライアント装置からの評判検索要求に対して、保存してある評判結果を送るようにすることができるものである。
【０１２８】
したがって、この第２の実施の形態においては、記録再生装置１は、第１の実施の形態とは異なり、後述するように、第１の実施の形態で説明した評判検索処理部３０と、評判検索用辞書群４０とは有せず、その代わりに、評判検索要求を行うクライアント装置としての機能部を備える。
【０１２９】
図１２は、この第２の実施の形態における番組評判検索蓄積サーバ装置７のハードウエア構成例を示すブロック図である。すなわち、図１２に示すように、この実施の形態の番組評判検索蓄積装置７は、システムバス１０１に対して、制御部５０、評判検索処理部６０、評判検索用辞書群７０、評判検索要求処理部８０、が接続されて構成されている。
【０１３０】
制御部５０は、前記制御部１０と同様に、マイクロコンピュータで構成され、ＣＰＵ５１と、プログラム用ＲＯＭ５２と、ワークエリア用ＲＡＭ５３とを備えている。プログラム用ＲＯＭ５２には、コンテンツ評判検索および評判結果取得用プログラム、評判検索要求処理用プログラム、その他のプログラムが格納されており、ＣＰＵ５１が、このＲＯＭ５２に格納されているプログラムを、ＲＡＭ５３をワークエリアとして用いながら実行することにより、上記のような種々の処理制御動作を行うものである。
【０１３１】
評判検索処理部６０は、上述した第１の実施の形態における評判検索処理部３０と全く同様に構成され、この例では、それぞれシステムバス１０１に接続されている、インターネット３に接続するための通信インターフェース６１と、インターネット検索処理部６２と、ＨＴＭＬパース処理部６３と、ＨＴＭＬクロール処理部６４と、形態素解析エンジン６５と、構文解析エンジン６６と、評判判定処理部６７とから構成されている。なお、この第２の実施の形態では、操作部６８および操作部インターフェース６９が、検索用キーワードの追加入力手段として、この評判検索処理部６０の一部の構成とされている。
【０１３２】
ここで、インターネット検索処理部６２、ＨＴＭＬパース処理部６３、ＨＴＭＬクロール処理部６４、形態素解析エンジン６５、構文解析エンジン６６、評判判定処理部６７のそれぞれは、ハードウエアとして構成することもできるが、ソフトウエアプログラムアプリケーションとして構成することもできるものである。なお、ソフトウエアプログラムアプリケーションとして構成される場合には、予めＲＯＭ５２に記憶されるものである。
【０１３３】
また、評判検索用辞書群７０は、上述した第１の実施の形態における評判検索用辞書群４０と全く同様に構成され、この例では、それぞれシステムバス１０１に接続されている、形態素解析辞書７１と、構文解析辞書７２と、シソーラス辞書７３と、評判ルール辞書７４とからなっている。
【０１３４】
評判検索処理部６０および検索用辞書群７０を用いた評判検索処理は、上述した第１の実施の形態の場合と同様である。ただし、このサーバ装置７においては、上述した第１の実施の形態とは異なり、ＥＰＧ情報中に含まれる全ての放送番組コンテンツについて、順次に、上述の第１の実施の形態と同様の動作を行う評判検索を予め行って、その処理結果として得られる評判結果（評判評価値や評判代表文などを含む）を、各放送番組コンテンツに対応して、評判検索要求処理部８０の評判結果蓄積部８１に蓄積しておくようにする。
【０１３５】
評判検索要求処理部８０は、この評判結果蓄積部８１のほか、評判結果取得要求受信処理部８２と、出力評判結果生成部８３とを備える。評判結果取得要求受信部８２は、インターネット３を通じてクライアント装置から送られてくる評判結果取得要求を受信して、いずれの放送番組コンテンツについての評判結果取得要求であるかを解析する。この例の場合、クライアント装置からの評判結果取得要求には、いずれの放送番組コンテンツについての評判結果取得要求であるかをサーバ装置７に知らせるために、評判検索対象とされる放送番組コンテンツを特定するための放送番組コンテンツ識別情報が含まれている。
【０１３６】
この放送番組コンテンツ識別情報としては、各放送番組コンテンツに特有のものとして予め与えられる識別情報を用いてもよいし、例えば各放送番組コンテンツのタイトルなどであってもよい。また、各放送番組コンテンツに付与されるＧコード（Ｇｅｍｓｔａｒ−Ｃｏｄｅ）などであってもよい。
【０１３７】
評判結果蓄積部８１には、各放送番組コンテンツについての評判結果が、その放送番組コンテンツ識別情報と対応付けられて蓄積されている。
【０１３８】
評判結果取得要求受信処理部８２は、通信インターフェース６１を通じて、評判結果取得要求を受信すると、当該評判結果取得要求に含まれる検索要求対象の放送番組コンテンツの識別情報を抽出して、それを出力評判結果生成部８３に転送する。出力評判結果生成部８３は、受け取った放送番組コンテンツの識別情報に対応付けられて評判結果蓄積部８１に蓄積されている評判結果を、当該評判結果蓄積部８１から取得して、評判結果取得要求をしてきたクライアント装置に送る評判結果送信情報を生成する。そして、出力評判結果生成部８３は、生成した評判結果送信情報を、通信インターフェース６１およびインターネット３を通じて前記クライアント装置に送る。
【０１３９】
なお、評判結果取得要求に含まれる検索要求対象の放送番組コンテンツの識別情報に対応する評判結果が、評判結果蓄積部８１に蓄積されていないときには、サーバ装置７は、当該放送番組コンテンツの評判検索処理を行って、その評判結果をクライアント装置に送るようにするものである。その際に、取得した評判結果は、評判結果蓄積部８１にも蓄積しておくようにする。
【０１４０】
次に、この第２の実施の形態の場合におけるクライアント装置の一例となる記録再生装置１のハードウエア構成例を図１３に示す。
【０１４１】
この第２の実施の形態の場合における記録再生装置１は、前述したように、第１の実施の形態で説明した評判検索処理部３０と、評判検索用辞書群４０とは備えておらず、その代わりに、評判検索要求を行うクライアント装置としての機能部である評判結果取得要求処理部９０を備える。
【０１４２】
評判結果取得要求処理部９０は、この例では、評判結果取得要求生成部９１と、評判結果受信処理部９２と、評判結果表示情報生成部９３とを備える。そして、制御部１０は、例えば、録画コンテンツの一覧表示から選択された録画コンテンツの評判の検索指示を受け付けると、評判結果取得要求処理部９０を起動する。
【０１４３】
評判結果取得要求処理部９０が起動されると、先ず、評判結果取得要求生成部９１は、録画コンテンツの一覧表示から選択された録画コンテンツの評判検索要求を、当該録画コンテンツのコンテンツ識別情報（例えば、録画コンテンツのタイトル情報）を含めて、通信インターフェース３１およびインターネット３を通じて、番組評判検索蓄積サーバ装置７に送る。なお、番組評判検索蓄積サーバ装置７のインターネット３上のＵＲＬは、記録再生装置１に予め登録されて保持されている。
【０１４４】
この録画コンテンツの評判検索要求に対しては、前述したように、サーバ装置７から、当該録画コンテンツについての評判結果の情報が送られてくるので、評判結果受信処理部９２は、通信インターフェース３１を通じてこれを受信して、評判結果表示情報生成部９３に転送する。
【０１４５】
評判結果表示情報生成部９３は、取得した評判結果の情報から、前述したような評判結果の表示情報を生成し、モニター出力インターフェース２４を通じて、モニター装置２に供給するようにする。
【０１４６】
これにより、モニター装置２のディスプレイには、図１０に示したような、録画コンテンツの評判結果が表示され、ユーザに提示される。
【０１４７】
この第２の実施の形態においては、サーバ装置７では、予め、放送番組コンテンツについての評判結果を検索して評判結果蓄積部８１に蓄積しておくので、クライアント装置からの評判結果取得要求が到来したとき、当該評判結果蓄積部８１に蓄積されている評判結果を即座に、前記取得要求に対する回答として送出することができる。したがって、ユーザは、迅速に、録画コンテンツの評判結果を参照することができる。
【０１４８】
なお、第２の実施の形態におけるサーバ装置７は、クライアント装置とインターネットを通じて接続されるのではなく、サーバ装置７はインターネットに接続されると共に、ＬＡＮを通じてクライアント装置と接続される構成であってもよい。
【０１４９】
［他の実施の形態または変形例］
なお、上述の実施の形態では、録画コンテンツについての評判検索を行うようにしたが、例えば放送中の放送番組コンテンツについての評判検索を行うようにすることもできる。その場合には、例えばユーザが、ＥＰＧに基づく番組予定表から、検索対象の放送番組を指定できるように、テレビ放送番組受信装置を構成すればよい。
【０１５０】
そして、第１の実施の形態に適用する場合には、当該テレビ放送番組受信装置は、当該評判検索指示された放送番組のタイトルおよび関連内容情報をＥＰＧデータから抽出して、検索用キーワードを抽出するようにし、当該抽出した検索用キーワードを用いて、上述した評判検索処理を行うようにすることができる。
【０１５１】
また、この発明は、リアルタイムの放送番組に限らず、ビデオ・オン・デマンドによるコンテンツの受信再生や、サーバ型放送番組のように、一旦、放送番組をサーバに蓄積し、当該蓄積された放送番組からユーザが希望する放送番組を選択受信する場合にも用いることができる。
【０１５２】
上述の説明では、評判検索対象は、放送番組コンテンツとしたが、これに限られるものではなく、音楽コンテンツ、電子書籍コンテンツ、ビデオゲームコンテンツなど、種々のコンテンツの評判検索に、この発明は適用可能である。
【０１５３】
そして、この発明の情報処理装置は、第２の実施の形態からも分かるように、評判検索対象のコンテンツを再生、デコードなどを行う必要はなく、単に、評判検索を行って、その評判結果をユーザに提供できる機能を備えていればよい。
【図面の簡単な説明】
【０１５４】
【図１】この発明による情報処理装置の第１の実施の形態のハードウエア構成例を示すブロック図である。
【図２】第１の実施の形態の情報処理装置を含むシステム構成の概要を説明するための図である。
【図３】第１の実施の形態の情報処理装置で使用される評判ルール辞書の作成の流れを説明するための図である。
【図４】第１の実施の形態の情報処理装置で使用される評判ルール辞書の辞書データの例を示す図である。
【図５】第１の実施の形態の情報処理装置における評判検索処理の流れの一部を説明するための図である。
【図６】第１の実施の形態の情報処理装置における評判検索処理の流れの一部を説明するための図である。
【図７】第１の実施の形態の情報処理装置における評判検索処理の流れの一部を説明するための図である。
【図８】第１の実施の形態の情報処理装置における評判検索処理の流れの一部を説明するための図である。
【図９】第１の実施の形態の情報処理装置における評判検索処理の流れの一部を説明するための図である。
【図１０】第１の実施の形態の情報処理装置における評判結果の表示例を示す図である。
【図１１】第２の実施の形態の情報処理装置を含む評判検索システムの構成例の概要を説明するための図である。
【図１２】この発明による情報処理装置の第２の実施の形態のハードウエア構成例を示すブロック図である。
【図１３】この発明による評判検索システムの実施の形態におけるクライアント装置の一例のハードウエア構成例を示す図である。
【符号の説明】
【０１５５】
１０，５０…制御部、３０、６０…評判検索処理部、４０、７０…評判検索用辞書群、８０…評判検索要求処理部、９０…評判結果取得要求処理部
【図１】
0004359787.tif 000002
【図２】
0004359787.tif 000003
【図３】
0004359787.tif 000004
【図４】
0004359787.tif 000005
【図５】
0004359787.tif 000006
【図６】
0004359787.tif 000007
【図７】
0004359787.tif 000008
【図８】
0004359787.tif 000009
【図９】
0004359787.tif 000010
【図１０】
0004359787.tif 000011
【図１１】
0004359787.tif 000012
【図１２】
0004359787.tif 000013
【図１３】
0004359787.tif 000014